(57)【特許請求の範囲】
【請求項１】
マークが記録されているマークカードが搬送され、または、マークカードが搬送された後にこのマークカードの情報に基づいて発行されるチケットが搬送され、搬送中にこれらマークカードとチケットの各情報を読み取るための読み取り搬送路と、
前記読み取り搬送路に設けられ、この読み取り搬送路を通過する前記マークカードまたは前記チケットの情報を読み取る読み取り手段と、
マークカードの挿入直後の搬送または排出直前の搬送が行われるマークカード挿入排出路と、チケットの排出直前の搬送が行われるチケット排出路と、のいずれかに、前記読み取り搬送路の前方側を接続する第１接続切り替え手段と、
前記読み取り搬送路を後方側に向けて通過したマークカードを一時的に退避させ、その後、前方向に送り出す退避路と、チケットを発行するチケット発行路と、のいずれかに、前記読み取り搬送路の後方側を接続する第２接続切り替え手段と、
マークカードが前記マークカード挿入排出路に挿入されると、前記第１接続切り替え手段により前記読み取り搬送路の前方側を前記マークカード挿入排出路に接続するとともに、前記第２接続切り替え手段により前記読み取り搬送路の後方側を前記退避路に接続し、それにより前記読み取り手段によって前記読み取り搬送路を通過するマークカードの情報を読み取り、
続いて、前記第１接続切り替え手段により前記読み取り搬送路の前方側を前記チケット排出路に接続するとともに、前記第２接続切り替え手段により前記読み取り搬送路の後方側を前記チケット発行路に接続し、それにより前記読み取り手段によって前記読み取り搬送路を通過するチケットの情報を読み取る制御手段と、
を備えたことを特徴とするマークカード処理装置。
【請求項２】
前記チケット排出路においてチケットの排出が行われるチケット排出口と、
前記マークカード挿入排出路においてマークカードの挿入または排出が行われるマークカード挿入排出口と、を備え、
前記チケット排出口は、装置本体の前記マークカード挿入排出口と同じ側面に、かつ前記マークカード挿入排出口よりも上部に設けられた請求項１に記載のマークカード処理装置。
【請求項３】
前記退避路に接続され、不良のチケットを回収する回収手段を備え、
前記制御手段は、前記読み取り手段による前記チケットの読み取り結果が不良の場合には、前記第２接続切り替え手段により前記読み取り搬送路の後方側を前記退避路に接続し、そのチケットを前記回収手段に回収する請求項１または２に記載のマークカード処理装置。
【請求項４】
マークが記録されているマークカードが搬送され、または、マークカードが搬送された後にこのマークカードの情報に基づいて発行されるチケットが搬送され、搬送中にこれらマークカードとチケットの各情報を読み取るための読み取り搬送路と、
前記読み取り搬送路に設けられ、この読み取り搬送路を通過する前記マークカードまたは前記チケットの情報を読み取る読み取り手段と、
マークカードの挿入直後の搬送または排出直前の搬送が行われるマークカード挿入排出路と、チケットの排出直前の搬送が行われるチケット排出路と、のいずれかに、前記読み取り搬送路の前方側を接続する第１接続切り替え手段と、
前記読み取り搬送路を後方側に向けて通過したマークカードを一時的に退避させた後の前方向への送り出し、前記読み取り搬送路を後方側に向けて通過したチケットを前記チケット排出路と異なる方向へ排出する直前の搬送が行われる退避排出路と、チケットを発行するチケット発行路と、のいずれかに、前記読み取り搬送路の後方側を接続する第２接続切り替え手段と、
前記チケット排出路からチケットを排出する第１のモード、または前記退避排出路からチケットを排出する第２のモードに設定する設定手段と、
前記設定手段が前記第１モードに設定された場合には、マークカードが前記マークカード挿入排出路に挿入されると、前記第１接続切り替え手段により前記読み取り搬送路の前方側を前記マークカード挿入排出路に接続するとともに、前記第２接続切り替え手段により前記読み取り搬送路の後方側を前記退避排出路に接続し、それにより前記読み取り手段によって前記読み取り搬送路を通過するマークカードの情報を読み取るマークカード読み取り処理と、
続いて、前記第１接続切り替え手段により前記読み取り搬送路の前方側を前記チケット排出路に接続するとともに、前記第２接続切り替え手段により前記読み取り搬送路の後方側を前記チケット発行路に接続し、それにより前記読み取り手段によって前記読み取り搬送路を通過するチケットの情報を読み取るチケット読み取り処理と、を行い、
前記設定手段が前記第２モードに設定された場合には、前記マークカード読み取り処理と、前記チケット読み取り処理と、を行った後に、前記第２接続切り替え手段により前記読み取り搬送路の後方側を前記退避排出路に接続する制御手段と、
を備えたことを特徴とするマークカード処理装置。
【請求項５】
マークが記録されているマークカードが搬送され、または、マークカードが搬送された後にこのマークカードの情報に基づいて発行されるチケットが搬送され、搬送中にこれらマークカードとチケットの各情報を読み取るための読み取り搬送路と、
前記読み取り搬送路に設けられ、この読み取り搬送路を通過する前記マークカードまたは前記チケットの情報を読み取る読み取り手段と、
前記読み取り搬送路の前方側に接続され、マークカードの挿入直後の搬送または排出直前の搬送が行われるマークカード挿入排出路と、
前記読み取り搬送路を後方側に向けて通過したマークカードを一時的に退避させた後の前方向への送り出し、前記読み取り搬送路を後方側に向けて通過したチケットを前記チケット排出路と異なる方向へ排出する直前の搬送が行われる退避排出路と、チケットを発行するチケット発行路と、のいずれかに、前記読み取り搬送路の後方側を接続する接続切り替え手段と、
マークカードが前記マークカード挿入排出路に挿入されると、前記接続切り替え手段により前記読み取り搬送路の後方側を前記退避排出路に接続し、それにより前記読み取り手段によって前記読み取り搬送路を通過するマークカードの情報を読み取り、
続いて、前記接続切り替え手段により前記読み取り搬送路の後方側を前記チケット発行路に接続し、それにより前記読み取り手段によって前記読み取り搬送路を通過するチケットの情報を読み取り、
さらに、前記接続切り替え手段により前記読み取り搬送路の後方側を前記退避排出路に接続する制御手段と、
を備えたことを特徴とするマークカード処理装置。
【請求項６】
不良のチケットを回収する回収手段と、
前記退避排出路と前記回収手段を接続する第３切り替え手段と、
を備え、
前記制御手段は、前記読み取り手段による前記チケットの読み取り結果が不良の場合には、前記第３接続切り替え手段により前記退避排出路を前記回収手段に接続し、そのチケットを前記回収手段に回収する請求項４または５に記載のマークカード処理装置。
【発明の詳細な説明】
【技術分野】
【０００１】
本発明は、マークカードの情報を読み取り、その情報に基づいてくじ等のチケットを発行するマークカード処理装置に関する。
【背景技術】
【０００２】
従来、マークカードの情報を読み取り、その情報に基づいてくじ等のチケットを発行する装置としては、マークカードの情報を読み取るマーク読み取り部と、読み取った情報から処理結果を出力するプリンタ部と、が別の装置として構成されていた（例えば、特許文献１参照。）。また、同一装置で投票カードの読み取り、投票券の読み取り、及び投票券の発券等を行う装置もあった（例えば、特許文献２参照。）。
【特許文献１】特開平１０−４９３６５号公報
【特許文献２】特開平２００４−１６４３３０号公報
【発明の開示】
【発明が解決しようとする課題】
【０００３】
特許文献１に記載のマークカード処理装置は、前記のように、マーク読み取り部と、プリンタ部と、が別の装置として構成されているので、各部を設置するためには広いスペースが必要となる。また、特許文献２に記載の投票券発券・払戻装置は、外観が一体化されているが、マークカードの情報を読み取る読み取り部と、読み取った情報から処理された結果を印刷し発券する発券部（プリンタ部）と、が別の装置からなる構成であるため、装置の構成が大型になり、やはり広い設置スペースが必要である。
【０００４】
一方、マークカード処理装置や投票券発券・払戻装置を設置するくじ等の販売窓口やコンビニエンスストア等では、周知のように空きスペースがほとんど無いので、これらの装置を設置する広いスペースを確保するのが困難であるという問題があった。
【０００５】
また、マークカード処理装置の操作を、販売者が主に行う場合と購入者が主に行う場合とでは求められる装置の構成が異なり、マークカード処理装置の設置場所によっても求められる装置の構成が異なるが、従来の装置はこれらを満たす構成になっているとは必ずしも言えなかった。
【０００６】
そこで、本発明は、装置の小型化により狭いスペースでも設置でき、また、マークカード処理装置の操作者や設置場所に応じた構成のマークカード処理装置を提供することを目的とする。
【課題を解決するための手段】
【０００７】
この発明は、上記の課題を解決するための手段として、以下の構成を備えている。
【０００８】
（１）マークが記録されているマークカードが搬送され、または、マークカードが搬送された後にこのマークカードの情報に基づいて発行されるチケットが搬送され、搬送中にこれらマークカードとチケットの各情報を読み取るための読み取り搬送路と、
前記読み取り搬送路に設けられ、この読み取り搬送路を通過する前記マークカードまたは前記チケットの情報を読み取る読み取り手段と、
マークカードの挿入直後の搬送または排出直前の搬送が行われるマークカード挿入排出路と、チケットの排出直前の搬送が行われるチケット排出路と、のいずれかに、前記読み取り搬送路の前方側を接続する第１接続切り替え手段と、
前記読み取り搬送路を後方側に向けて通過したマークカードを一時的に退避させ、その後、前方向に送り出す退避路と、チケットを発行するチケット発行路と、のいずれかに、前記読み取り搬送路の後方側を接続する第２接続切り替え手段と、
マークカードが前記マークカード挿入排出路に挿入されると、前記第１接続切り替え手段により前記読み取り搬送路の前方側を前記マークカード挿入排出路に接続するとともに、前記第２接続切り替え手段により前記読み取り搬送路の後方側を前記退避路に接続し、それにより前記読み取り手段によって前記読み取り搬送路を通過するマークカードの情報を読み取り、
続いて、前記第１接続切り替え手段により前記読み取り搬送路の前方側を前記チケット排出路に接続するとともに、前記第２接続切り替え手段により前記読み取り搬送路の後方側を前記チケット発行路に接続し、それにより前記読み取り手段によって前記読み取り搬送路を通過するチケットの情報を読み取る制御手段と、
を備えたことを特徴とする。
【０００９】
従来のマークカード処理装置では、マークカードの読み取り手段とチケットの発行手段とが別体となっていたので、狭いスペースに設置できないサイズであり、また、チケットの発行手段で発行されたチケットの内容を装置本体で確認することができなかった。この構成においては、処理装置は、読み取り搬送路に読み取り手段が設けられており、マークカード挿入排出路に挿入されたマークカードの読み取りと、このマークカードの情報に基づいてチケット発行路で発行されたチケットの読み取りと、を行うようにしている。したがって、本発明のマークカード処理装置では、マークカードの読み取りとチケットの発行を１つの装置で実行でき、また装置の構成を簡素化できるので、装置を小型化して狭いスペースにでも設置が可能となる。また、発行するチケットの内容を装置で確認することができ、内容の間違いや汚れ等の不良があった場合には、速やかにチケットを再発行することができる。
【００１０】
（２）前記チケット排出路においてチケットの排出が行われるチケット排出口と、
前記マークカード挿入排出路においてマークカードの挿入または排出が行われるマークカード挿入排出口と、を備え、
前記チケット排出口は、装置本体の前記マークカード挿入排出口と同じ側面に、かつ前記マークカード挿入排出口よりも上部に設けられたことを特徴とする。
【００１１】
マークカード処理装置において、利用者にマークカードとチケットの内容が一致していることを確認してもらうためにマークカードを返却する場合、マークカードのサイズはチケットのサイズよりも一般的に大きいので、マークカードとチケットを重ねて同じチケット排出口から排出する構成にすると、搬送手段が複雑となりコストがかかるという問題が発生する。また、マークカードとチケットを順にチケット排出口から排出する構成にすると、利用者が一方のみを取って他方を取り忘れるという問題が発生する。この構成においては、読み取り手段がマークカードを読み取ると、マークカード挿入排出口からマークカードを排出し、このマークカードの情報に基づいて発行されたチケットが、マークカード挿入排出口と同じ側面であって、マークカード挿入排出口よりも上部に配置されたチケット排出口から排出される。したがって、マークカードよりもサイズの小さなチケットがマークカードの上側に排出されるので、利用者はマークカード及びチケットを確実に視認でき、マークカード及びチケットの取り忘れが発生すること無く、また、搬送手段の構成が複雑になることも無いので、装置のコストを抑制できる。
【００１２】
（３）前記退避路に接続され、不良のチケットを回収する回収手段を備え、
前記制御手段は、前記読み取り手段による前記チケットの読み取り結果が不良の場合には、前記第２接続切り替え手段により前記読み取り搬送路の後方側を前記退避路に接続し、そのチケットを前記回収手段に回収することを特徴とする。
【００１３】
この構成においては、読み取り手段が読み取りを行ったチケットに不良がある場合には、そのチケットを回収手段へ搬送する。したがって、内容の間違いや汚れ等の不良の無いチケットのみを発行することができる。
【００１４】
（４）マークが記録されているマークカードが搬送され、または、マークカードが搬送された後にこのマークカードの情報に基づいて発行されるチケットが搬送され、搬送中にこれらマークカードとチケットの各情報を読み取るための読み取り搬送路と、
前記読み取り搬送路に設けられ、この読み取り搬送路を通過する前記マークカードまたは前記チケットの情報を読み取る読み取り手段と、
マークカードの挿入直後の搬送または排出直前の搬送が行われるマークカード挿入排出路と、チケットの排出直前の搬送が行われるチケット排出路と、のいずれかに、前記読み取り搬送路の前方側を接続する第１接続切り替え手段と、
前記読み取り搬送路を後方側に向けて通過したマークカードを一時的に退避させた後の前方向への送り出し、前記読み取り搬送路を後方側に向けて通過したチケットを前記チケット排出路と異なる方向へ排出する直前の搬送が行われる退避排出路と、チケットを発行するチケット発行路と、のいずれかに、前記読み取り搬送路の後方側を接続する第２接続切り替え手段と、
前記チケット排出路からチケットを排出する第１のモード、または前記退避排出路からチケットを排出する第２のモードに設定する設定手段と、
前記設定手段が前記第１モードに設定された場合には、マークカードが前記マークカード挿入排出路に挿入されると、前記第１接続切り替え手段により前記読み取り搬送路の前方側を前記マークカード挿入排出路に接続するとともに、前記第２接続切り替え手段により前記読み取り搬送路の後方側を前記退避排出路に接続し、それにより前記読み取り手段によって前記読み取り搬送路を通過するマークカードの情報を読み取るマークカード読み取り処理と、
続いて、前記第１接続切り替え手段により前記読み取り搬送路の前方側を前記チケット排出路に接続するとともに、前記第２接続切り替え手段により前記読み取り搬送路の後方側を前記チケット発行路に接続し、それにより前記読み取り手段によって前記読み取り搬送路を通過するチケットの情報を読み取るチケット読み取り処理と、を行い、
前記設定手段が前記第２モードに設定された場合には、前記マークカード読み取り処理と、前記チケット読み取り処理と、を行った後に、前記第２接続切り替え手段により前記読み取り搬送路の後方側を前記退避排出路に接続する制御手段と、
を備えたことを特徴とする。
【００１５】
販売者がマークカード処理装置の全ての操作を行う場合には、装置本体の販売者に対向する面側からマークカードを挿入し、この販売者に対向する面側からマークカード及びチケットが排出されると、販売者はスムーズに操作を行うことができる。一方、購入者がマークカード処理装置の全ての操作を行う場合には、装置本体の購入者に対向する面側からマークカードを挿入し、この購入者に対向する面側からマークカード及びチケットが排出されると、購入者が代金の支払いを済まさずにチケットを持ち帰る可能性がある。この構成においては、マークカード処理装置は、読み取り搬送路に読み取り手段が設けられており、マークカード挿入排出路に挿入されたマークカードの読み取りと、チケット発行路で発行されたチケットの読み取りと、を行うようにしている。また、チケット発行路で発行されたチケットを、読み取り手段で読み取った後に、チケット排出路へ搬送させることも、チケット排出路と異なる方向にチケットを排出する退避排出路へ搬送させることもできる。したがって、本発明のマークカード処理装置では、マークカードの読み取りとチケットの発行を１つの装置で実行でき、また装置の構成を簡素化できるので、装置を小型化して狭いスペースにでも設置が可能となる。また、チケットの発行手段が発行したチケットの内容を装置で確認することができ、内容の間違いや汚れ等があった場合には、速やかにチケットを再発行することができる。さらに、マークカード処理装置の設置場所や主な操作者が誰かに応じて、チケットの排出先を切り替えることができる。加えて、マークカード処理装置の設置場所を変更した場合等に、チケットの排出口を変更する場合には、チケットの排出先を設定し直すだけで良く、マークカード処理装置を排出先の位置が異なる別の装置に交換する必要が無いので、ユーザの利便性を向上できる。
【００１６】
（５）マークが記録されているマークカードが搬送され、または、マークカードが搬送された後にこのマークカードの情報に基づいて発行されるチケットが搬送され、搬送中にこれらマークカードとチケットの各情報を読み取るための読み取り搬送路と、
前記読み取り搬送路に設けられ、この読み取り搬送路を通過する前記マークカードまたは前記チケットの情報を読み取る読み取り手段と、
前記読み取り搬送路の前方側に接続され、マークカードの挿入直後の搬送または排出直前の搬送が行われるマークカード挿入排出路と、
前記読み取り搬送路を後方側に向けて通過したマークカードを一時的に退避させた後の前方向への送り出し、前記読み取り搬送路を後方側に向けて通過したチケットを前記チケット排出路と異なる方向へ排出する直前の搬送が行われる退避排出路と、チケットを発行するチケット発行路と、のいずれかに、前記読み取り搬送路の後方側を接続する接続切り替え手段と、
マークカードが前記マークカード挿入排出路に挿入されると、前記接続切り替え手段により前記読み取り搬送路の後方側を前記退避排出路に接続し、それにより前記読み取り手段によって前記読み取り搬送路を通過するマークカードの情報を読み取り、
続いて、前記接続切り替え手段により前記読み取り搬送路の後方側を前記チケット発行路に接続し、それにより前記読み取り手段によって前記読み取り搬送路を通過するチケットの情報を読み取り、
さらに、前記接続切り替え手段により前記読み取り搬送路の後方側を前記退避排出路に接続する制御手段と、
を備えたことを特徴とする。
【００１７】
購入者がマークカード処理装置の全ての操作を行う場合には、装置本体の購入者に対向する面側からマークカードを挿入し、この購入者に対向する面側からマークカード及びチケットが排出されると、購入者が代金の支払いを済まさずにチケットを持ち帰る可能性がある。この構成においては、マークカード処理装置は、読み取り搬送路に読み取り手段が設けられており、マークカード挿入排出路に挿入されたマークカードの読み取りと、チケット発行路で発行されたチケットの読み取りと、を行うようにしている。また、マークカード挿入排出路が読み取り搬送路の前方側に接続され、チケット発行路が読み取り搬送路の後方側に接続されており、チケットは、装置本体のマークカードが挿入排出される方向とは異なる方向に排出される。したがって、本発明のマークカード処理装置では、マークカードの読み取りとチケットの発行を１つの装置で実行でき、また装置の構成を簡素化できるので、装置を小型化して狭いスペースにでも設置が可能となる。また、発行するチケットの内容を装置で確認することができ、内容の間違いや汚れ等の不良があった場合には、速やかにチケットを再発行することができる。さらに、購入者に対してマークカードとチケットの両方が排出されることが無く、購入者が代金の支払いを済まさずにチケットを持ち帰るのを防止できる。
【００１８】
（６）不良のチケットを回収する回収手段と、
前記退避排出路と前記回収手段を接続する第３切り替え手段と、
を備え、
前記制御手段は、前記読み取り手段による前記チケットの読み取り結果が不良の場合には、前記第３接続切り替え手段により前記退避排出路を前記回収手段に接続し、そのチケットを前記回収手段に回収することを特徴とする。
【００１９】
この構成においては、読み取り手段が読み取りを行ったチケットに不良がある場合には、そのチケットを回収手段へ搬送する。したがって、内容の間違いや汚れ等の不良の無いチケットのみを発券することができる。
【発明の効果】
【００２０】
マークカード処理装置は、マークカードの読み取りとチケットの発行を１つの装置で実行でき、また装置の構成を簡素化できるので、装置を小型化して狭いスペースにでも設置できる。また、マークカード処理装置の操作者や設置場所に応じて、チケットの排出先が異なるものを用いたり、排出先を切り替えたりすることができるので、マークカードやチケットを取り忘れたり、代金未払いのままチケットを持ち帰られたりするのを防止できる。さらに、発行するチケットの内容を装置で確認することができ、内容の間違いや汚れ等の不良があった場合には、不良のチケットを回収手段に回収して、良品のチケットを速やかに再発行することができる。
【発明を実施するための最良の形態】
【００２１】
図１は、マークカード処理装置の概略の構成図及びマークカード処理装置の斜視図である。マークカード処理装置１は、マークカード２に記録されたマークなどの情報を読み取り、この情報に基づいてチケット３を発券する装置である。
【００２２】
図１（Ａ）に示すように、マークカード処理装置１は、マークカード２を挿入・排出するためのマークカード挿入排出口１１、マークカード２の搬送路であるマークカード挿入排出路１２、マークカード２を搬送するローラ対１３・１４、及びマークカード２の挿入または排出を検出するマークカードセンサ１５を備えている。また、マークカード処理装置１は、チケット３を排出するチケット排出口２１、チケット３の搬送路であるチケット排出路２２、チケット３を搬送するローラ対２３・２４、及びチケット３の排出を検出するチケットセンサ２５を備えている。さらに、マークカード処理装置１は、マークカード２及びチケット３の搬送路である読み取り搬送路３１、マークカード２及びチケット３を読み取る光学読み取りセンサ３２、マークカード２及びチケット３を搬送するローラ対３３・３４、並びにマークカード２及びチケット３の位置検出用のセンサ３５・３６を備えている。加えて、マークカード処理装置１は、チケット３を発行する印刷部４６を備えた搬送路であるチケット発行路４１、ロール紙４を支持・回転させるローラ４２・４３、ロール紙４から繰り出された用紙先端部４ａを搬送するローラ対４４・４５、ロール紙４から繰り出された用紙先端部４ａにマークカード２の内容に応じた情報を印刷する印刷部４６、ロール紙４の用紙先端部４ａの位置を検出するセンサ４７、及びロール紙４から繰り出された用紙を切断するカッタ４８を備えている。また、マークカード処理装置１は、光学読み取りセンサ３２が読み取りを行ったマークカード２を一時的に退避させる退避路５１、マークカード２及びチケット３を搬送するローラ対５２・５３、内容の間違いや汚れなどの不良があるチケット３を回収する回収ボックス５４、退避路５１内のマークカード２及びチケット３の有無を検出するセンサ５５を備えている。
【００２３】
さらに、マークカード処理装置１は、アクチュエータ６１、モータ６２、モータ６３、図１（Ａ）には不図示の制御部６４、読み取り搬送路３１の前方側と、マークカード挿入排出路１２またはチケット排出路２２と、の接続を切り替える第１切り替え部６５、及び読み取り搬送路３１の後方側と、チケット発行路４１または退避路５１と、の接続を切り替える第２切り替え部６６を備えている。第１切り替え部６５と第２切り替え部６６は、図中実線の位置と点線の位置とに切り替えることが可能である。第１切り替え部６５と第２切り替え部６６は、ソレノイド等のアクチュエータ６１を利用する機構により切り替える構成である。また、ローラ対１３・１４・２３・２４・３３・３４はモータ６２により駆動される。さらに、ローラ４２・４３、ローラ対４４・４５・５２・５３は、モータ６３により駆動される。
【００２４】
ここで、マークカード処理装置１に挿入するマークカード２と、マークカード処理装置１から発行されるチケット３と、では、一般的にマークカード２の方がチケット３よりも大きく、マークカード処理装置１では、このようなサイズのマークカード２とチケット３を取り扱う。また、マークカード処理装置１では、利用者（購入者）にマークカードとチケットの内容が一致していることを確認してもらうために、マークカード挿入排出口１１からマークカード２を排出して、マークカード２を利用者（購入者）に返却する。そこで、マークカード処理装置１では、図１（Ａ），（Ｂ）に示したように、マークカード挿入排出口１１よりも上部にチケット排出口２１を配置した構成としている。これにより、マークカード処理装置１において、発券処理が終了したときに、マークカード２がマークカード挿入排出口１１に排出され、チケット３がチケット排出口２１に排出された状態のときに、マークカード２よりもサイズの小さなチケット３がマークカード２の上部に位置することになるので、マークカード処理装置１の操作者は同図の矢印方向からマークカード２とチケット３の両方を確実に視認できる。
【００２５】
仮に、図１（Ｃ）に示すように、マークカード処理装置１において、マークカード挿入排出口１１よりもチケット排出口２１が下部に配置される構成とした場合には、発券処理が終了したときにマークカード２がマークカード挿入排出口１１へ排出され、チケット３がチケット排出口２１に排出された状態のときに、マークカード２よりもサイズの小さなチケット３がマークカード２の下部に位置することになる。この場合、マークカード処理装置１の操作者は同図の矢印方向からマークカード２のみを視認することになり、チケット３の取り忘れが発生する可能性がある。そのため、本発明では、上記のように、マークカード挿入排出口１１と同じ側面であって、マークカード挿入排出口１１よりも上部にチケット排出口２１を配置しているのである。
【００２６】
次に、図２は、マークカード処理装置の制御系統のブロック図である。図２に示すように、制御部６４は、マークカード処理装置１の各部を制御する。すなわち、制御部６４は、マークカードセンサ１５、チケットセンサ２５、光学読み取りセンサ３２、センサ３５・３６、センサ４７、及びセンサ５５から出力された信号を検出し、この信号に応じて印刷部４６、カッタ４８、アクチュエータ６１、モータ６２、及びモータ６３の動作を制御する。
【００２７】
図３は、マークカード処理装置を店舗に設置する際の構成を示すブロック図である。図３には、販売者が、購入者からマークカード２を受け取って、全ての操作を行う場合の構成を示している。マークカード処理装置１は、制御装置１０１に接続されている。また、制御装置１０１には、メッセージを表示する表示装置１０２、料金などの明細書を印刷するプリンタ１０３が接続されている。制御装置１０１は、接続されている各装置の制御を行う。また、制御装置１０１は、不図示のホスト装置と、不図示の通信回線を介して接続されており、くじ等のデータをやりとりする。マークカード処理装置１、制御装置１０１、表示装置１０２、及びプリンタ１０３から成る構成をチケット発券装置１００と称する。
【００２８】
次に、マークカード処理装置１の動作をフローチャートに基づいて説明する。図４は、マークカード処理装置のマークカードの読み取り処理を説明するためのフローチャートである。また、図５は、マークカード処理装置のチケット発券処理を説明するためのフローチャートである。マークカード処理装置１の制御部６４は、まず、マークカード２の読み取り処理を行う。すなわち、図４に示すように、制御部６４は、マークカード２がマークカード挿入排出口１１から挿入されたことを、マークカードセンサ１５で検出すると（ｓ１）、アクチュエータ６１により、第１切り替え部６５及び第２切り替え部６６を図１中の実線の位置に切り替えて、読み取り搬送路３１の前方側をマークカード挿入排出路１２に接続し、読み取り搬送路３１の後方側を退避路５１に接続した状態にする（ｓ２）。そして、制御部６４は、モータ６２によりローラ対１３・１４・３３・３４を駆動して、マークカード２をマークカード挿入排出路１２から読み取り搬送路３１の光学読み取りセンサ３２の設置位置へ搬送する（ｓ３）。続いて、制御部６４は、マークカード２が読み取り搬送路３１へ搬送されるとセンサ３５によりマークカード２の先端部２ａが通過したことを検知すると（ｓ４）、光学読み取りセンサ３２を起動して、搬送されるマークカード２の情報の読み取りを開始する。また、制御部６４は、モータ６３によりローラ対５２・５３の駆動を開始する（ｓ５）。
【００２９】
ここで、光学読み取りセンサ３２の起動に関しては、マークカード２が挿入されたことをマークカードセンサ１５で検出したタイミングでも問題は無い。また、マークカード２の読み取りを開始するタイミングは、センサ３５によるマークカード２の先端部２ａの検知情報を利用しても、光学読み取りセンサ３２によるマークカード２の先端部２ａの検知情報を利用しても良い。
【００３０】
制御部６４は、光学読み取りセンサ３２でマークカード２の情報の読み取ると、ローラ対３３・３４、ローラ対５２・５３、及び第２切り替え部６６により、マークカード２を退避路５１へ搬送する（ｓ６）。このとき、制御部６４は、チケット３を印刷するのに必要なマークカード２に記録された全ての情報を光学読み取りセンサ３２が読み取ることができる位置まで、マークカード２を搬送する。制御部６４は、光学読み取りセンサ３２でマークカード２におけるチケット３を印刷するのに必要な全ての情報の読み取りが完了すると（ｓ７）、モータ６２・６３を制御して、マークカード２の搬送を停止する（ｓ８）。
【００３１】
制御部６４は、マークカード２から読み取った情報を解析し、チケット３を印刷するのに必要な情報を全て読み取れていれば（ｓ９）、モータ６２・６３を制御して、ローラ対５２・５３、ローラ対３３・３４、ローラ対１３・１４により、マークカード２を退避路５１から読み取り搬送路３１を経由してマークカード挿入排出路１２へ搬送し、マークカードセンサ１５でマークカード２の位置を検出して、マークカード挿入排出口１１からマークカード２の一部を突出した状態にする（ｓ１０）。そして、モータ６２・６３を停止して、マークカード２の読み取り処理を終了する（ｓ１１）。
【００３２】
一方、制御部６４は、ステップｓ９において、マークカード２におけるマークのマーク漏れ等により、チケット３を印刷するのに必要な情報が不足していたり、マークミスがある場合には、ステップｓ９・ｓ１０と同様に、マークカード２を搬送し、マークカードセンサ１５でマークカード２の位置を検出して、マークカード挿入排出口１１からマークカード２の一部を突出した状態にする（ｓ１２）。そして、制御部６４は、モータ６２・６３を停止し（ｓ１３）、チケット３を印刷するのに必要な情報が不足している旨の信号をチケット発券装置１００の制御装置１０１へ出力する（ｓ１４）。
【００３３】
制御装置１０１は、この信号を受信すると（ｓ２１）、表示装置１０２に、マークカード２においてチケット３を印刷するのに必要な情報が不足しているか、またはマークミスがある旨の内容を表示させ（ｓ２２）、処理を終了する。販売者は、この場合、マークカード挿入排出口１１からマークカード２を抜き取って、購入者にマークカード２にマーク漏れか、マークミスがあったことを伝えて、マークカード２の情報を修正してもらう。そして、修正されたマークカード２を再度マークカード処理装置１のマークカード挿入排出口１１に挿入する。制御部６４は、マークカード２がマークカード挿入排出口１１から挿入されたことを、マークカードセンサ１５で検出すると（ｓ１５）、ステップｓ２以降の処理を実行する。
【００３４】
次に、制御部６４は、チケット３の発券処理を行う。すなわち、図５に示すように、制御部６４は、マークカード２の読み取り処理が終了すると、アクチュエータ６１を制御して、第１切り替え部６５と第２切り替え部６６を図１中の破線の位置に切り替えて、読み取り搬送路３１の前方側をチケット排出路２２に接続し、読み取り搬送路３１の後方側をチケット発行路４１に接続した状態にする（ｓ３１）。そして、制御部６４は、モータ６３によりローラ４２・４３、ローラ対４４・４５を駆動し、モータ６２によりローラ対３３・３４、ローラ対２３・２４を駆動して、ロール紙４の用紙先端部４ａを繰り出して、ロール紙４の搬送を開始する（ｓ３２）。
【００３５】
ここで、ロール紙４の初期位置は、ローラ対４５により挟持されていて、且つ、チケット発行路４１から読み取り搬送路３１へ搬送されるロール紙４に印刷部４６で印刷を行うことができる最適な位置とする。また、第１切り替え部６５が、読み取り搬送路３１の前方側とマークカード挿入排出路１２とを接続しているときには、モータ６２がローラ対１３・１４を駆動し、第１切り替え部６５が、読み取り搬送路３１の前方側とチケット排出路２２とを接続しているときには、モータ６２がローラ対２３・２４を駆動するように、不図示のクラッチにより切り替えられる。さらに、第２切り替え部６６が読み取り搬送路３１の後方側とチケット発行路４１とを接続しているときには、モータ６３がローラ４２・４３、ローラ対４４・４５を駆動し、第１切り替え部６５が読み取り搬送路３１の後方側と退避路５１とを接続しているときには、モータ６３がローラ対５２・５３を駆動するように、不図示のクラッチにより切り替えられる。ここで、ロール紙４の位置は、ロール紙４の用紙先端部４ａをセンサ４７により検知する方法の他に、ロール紙４に予め印刷されているタイミングマークをセンサで検知することでも検出できる。
【００３６】
制御部６４は、ロール紙４の用紙先端部４ａが印刷部４６に対向する位置に搬送されたことを、センサ４７により検知すると（ｓ３３）、前述のマークカード読み取り処理においてマークカード２から読み取った情報に応じた内容を、印刷部４６によりロール紙４へ印刷する（ｓ３４）。また、制御部６４は、印刷が終了したロール紙４を、ローラ対４４・４５、ローラ対３３・３４により読み取り搬送路３１へ搬送し、センサ３６によりロール紙４の用紙先端部４ａを検知すると（ｓ３５）、モータ６２・６３を制御して、ローラ対３３・３４、ローラ４２・４３、ローラ対４４・４５を停止され、カッタ４８により、ロール紙４を切断する（ｓ３６）。続いて、制御部６４は、モータ６２を制御して、ローラ対２３・２４、ローラ対３３・３４を動作させて、ロール紙４を切断した用紙であるチケット３を光学読み取りセンサ３２に対向する位置へ搬送するとともに、光学読み取りセンサ３２を起動して、ロール紙４に印刷した情報の読み取りを開始する（ｓ３７）。また、制御部６４は、モータ６３を制御して、ローラ４２・４３、ローラ対４４・４５により、ロール紙４から繰り出した用紙を巻き上げて、ロール紙４の用紙先端部４ａが印刷開始前の初期位置まで搬送されて、モータ６３を停止する。
【００３７】
制御部６４は、光学読み取りセンサ３２によりチケット３に印刷された情報を読み取ると、モータ６２を制御して、ローラ対２３・２４、ローラ対３３・３４を停止させて、チケット３の搬送を一旦停止する（ｓ３８）。そして、制御部６４は、チケット３から読み取った情報が、マークカード２から読み取った情報と一致しているか否かの確認や汚れ等の印刷ミスの有無等について確認を行う（ｓ３９）。
【００３８】
制御部６４は、チケット３から読み取った情報が、マークカード２から読み取った情報に応じたものであり、汚れ等の無い良品であれば、モータ６２を制御して、ローラ対３３・３４、ローラ対２３・２４により、チケット３を読み取り搬送路３１からチケット排出路２２へ搬送して、チケットセンサ２５でチケット３の端部を検出して、チケット排出口２１からチケット３の一部を突出した状態にする（ｓ４０）。そして、モータ６２を停止して、チケット３の発券処理を終了する（ｓ４１）。
【００３９】
一方、制御部６４は、ステップｓ３９において、チケット３から読み取った情報が、マークカード２から読み取った情報に応じたものでない場合や、汚れ等がある不良品であれば、アクチュエータ６１を制御して、第２切り替え部６６を図１における実線の位置に切り替えて、読み取り搬送路３１の後方側と退避路５１とを接続した状態にする（ｓ４２）。続いて、制御部６４は、モータ６２・６３を制御して、ローラ対２３・２４、ローラ対３３・３４、ローラ対５２・５３により、印刷ミス等があったチケット３を読み取り搬送路３１から退避路５１へ搬送し、回収ボックス５４へこのチケット３を回収する（ｓ４３）。
【００４０】
制御部６４は、印刷ミス等のあったチケット３の回収が完了すると、アクチュエータ６１を制御して、第１切り替え部６５及び第２切り替え部６６を図１における点線の位置に切り替えて、読み取り搬送路３１の前方側をチケット排出路２２に接続し、読み取り搬送路３１の後方側をチケット発行路４１に接続した状態にする（ｓ４４）。そして、制御部６４は、再度ステップｓ３２以降の処理を実行する。
【００４１】
上記の説明では、マークカード２の内容を正常に読み取れなかった場合は、直ちにマークカード２を排出するように処理する例を説明したが、これに限るものではなく、以下のように処理することも可能である。すなわち、マークカード２の内容を正常に読み取れなかった場合には、直ちにマークカード２をマークカード挿入排出口１１から排出するのではなく、光学読み取りセンサ３２に対向する位置にマークカード２を搬送して、光学読み取りセンサ３２で再度マークカード２の内容を読み取る。このとき、制御部６４は、光学読み取りセンサ３２の感度を補正したり、搬送速度を変更したりして読み取りを行うようにする。これにより、マークカード２の内容の読み取りを一度失敗しても、再度読み取りを行うことで、マークカード２の内容を正常に読み取ることができる可能性を高くできる。
【００４２】
次に、マークカード処理装置を、コンビニエンスストアのカウンタに設置する場合を例に挙げて説明する。図６は、マークカード処理装置をコンビニエンスストアのカウンタに設置する際の構成を示すブロック図である。図６には、購入者が全ての操作を行い、マークカード処理装置からマークカードを抜き取り、プリンタから出力された明細書に印刷された請求金額を販売者に支払い、販売者からチケットを受け取る場合の構成を示している。
【００４３】
図６（Ａ）に示すように、マークカード処理装置１は、制御装置１１１に接続されている。また、制御装置１１１には、販売者１２２に対してメッセージを表示する販売者用表示装置１１２、購入者１２１に対してメッセージを表示する購入者用表示装置１１３、料金の明細書を印刷するプリンタ１１４が接続されている。制御装置１１１は、接続されている各装置の制御を行う。また、制御装置１１１は、不図示のホスト装置と、不図示の通信回線を介して接続されており、くじ等のデータをやりとりする。マークカード処理装置１、制御装置１１１、販売者用表示装置１１２、購入者用表示装置１１３、及びプリンタ１１４から成る構成をチケット発券装置１１０と称する。
【００４４】
図６（Ｂ）に示すように、チケット発券装置１１０をカウンタ１１５におけるレジスタ兼販売者用表示装置１１２から離れた位置に設置する場合には、マークカード処理装置１、購入者用表示装置１１３、及びプリンタ１１４の各正面が、購入者１２１の側を向くように設置する。また、制御装置１１１及び販売者用表示装置１１２の各正面が販売者１２２の側を向くように設置する。
【００４５】
図３に基づいて説明したように、販売者がマークカード処理装置１の全ての操作を行う場合や、チケット発券装置１１０をカウンタ１１５におけるレジスタ１０２のすぐ近くに設置する場合には、マークカード処理装置１の構成は図１に示した構成が適している。しかしながら、図６に示したように、コンビニエンスストアのカウンタ１１５におけるレジスタ１０２から離れた位置にチケット発券装置１１０を設置する場合には、図１に示した構成のマークカード処理装置１では問題が発生する可能性がある。例えば、マークカード処理装置１における実行可能な全ての操作を、購入者１２１に、実施してもらう運用方法を想定する。この場合には、購入者１２１は、マークカード処理装置１に対してマークカード２を挿入し、購入者用表示装置１１３で購入内容を確認して、マークカード処理装置１でチケット３を発券し、プリンタ１１４から出力される明細書を販売者のところへ持って行き、代金を支払うことになる。このような運用方法では、マークカード処理装置１のマークカード挿入排出口１１と同じ側面にチケット排出口２１が設けられているので、購入者１２１がチケット３を発券するとチケット３の代金を販売者１２２に支払わずにそのままマークカード２とチケット３を持ち帰ってしまう可能性がある。そこで、コンビニエンスストアのカウンタ等にマークカード処理装置を設置した場合でも、上記の問題が発生しない構成を以下に説明する。
【００４６】
図７は、図１とは異なるマークカード処理装置の概略構成図である。図７に示すマークカード処理装置１Ｋは、図１に示したマークカード処理装置１に対して、チケット３の排出口として、マークカード挿入排出口１１及びチケット排出口２１を設けた側面１ａとは異なる側面（反対側の面）１ｂに、第２チケット排出口７１を設けた構成であり、チケット３の排出先をチケット排出口２１と第２チケット排出口７１とのいずれにも設定できるようにしたものである。
【００４７】
以下に、その詳細を説明する。なお、マークカード処理装置１Ｋにおいて、マークカード処理装置１と同様の構成については、同じ符号を付している。
【００４８】
マークカード処理装置１Ｋは、マークカード処理装置１と同様の構成として、以下の構成を備えている。すなわち、マークカード処理装置１Ｋは、マークカード２を挿入・排出するためのマークカード挿入排出口１１、マークカード２の搬送路であるマークカード挿入排出路１２、マークカード搬送用のローラ対１３・１４、及びマークカード２の挿入または排出を検出するマークカードセンサ１５を備えている。また、マークカード処理装置１Ｋは、チケット３を排出するチケット排出口２１、チケット３の搬送路であるチケット排出路２２、チケット３を搬送するローラ対２３・２４、及びチケット３の排出を検出するチケットセンサ２５を備えている。さらに、マークカード処理装置１Ｋは、マークカード２及びチケット３の搬送路である読み取り搬送路３１、マークカード２及びチケット３を読み取る光学読み取りセンサ３２、マークカード２及びチケット３の搬送用のローラ対３３・３４、並びにマークカード２及びチケット３の位置検出用のセンサ３５・３６を備えている。加えて、マークカード処理装置１は、チケット３を発行する印刷部４６を備えた搬送路であるチケット発行路４１、ロール紙４を支持・回転させるローラ４２・４３、ロール紙４から繰り出された用紙先端部４ａを搬送するローラ対４４・４５、ロール紙４から繰り出された用紙先端部４ａに、マークカード２の内容に応じた情報を印刷する印刷部４６、ロール紙４の用紙先端部４ａの位置を検出するセンサ４７、及びロール紙４から繰り出された用紙先端部４ａを切断するカッタ４８を備えている。また、マークカード処理装置１Ｋは、読み取り搬送路３１の前方側と、マークカード挿入排出路１２またはチケット排出路２２と、の接続を切り替える第１切り替え部６５を備えている。
【００４９】
また、マークカード処理装置１Ｋは、マークカード処理装置１とは異なる構成として、退避路５１、ローラ対５２・５３、回収ボックス５４、第２切り替え部６６、及びセンサ５５に替えて、以下の構成を備えている。すなわち、マークカード処理装置１Ｋは、チケット３を排出する第２チケット排出口７１、光学読み取りセンサ３２が読み取りを行ったマークカード２を一時的に退避路と、チケット３を第２チケット排出口７１へ搬送する搬送路とを兼ねた退避排出路７２、チケット３を搬送するローラ対７３・７４・７５、不良のチケット３を回収する回収ボックス７６、退避排出路７２内のマークカード２及びチケット３の有無を検出するセンサ７７・７８を備えている。
【００５０】
また、マークカード処理装置１Ｋは、読み取り搬送路３１の後方側と、チケット発行路４１または退避排出路７２と、の接続を切り替える第２切り替え部６６、及び退避排出路７２に搬送された不良のチケット３を回収ボックス７６に導く第３切り替え部６７を備えている。
【００５１】
第１切り替え部６５、第２切り替え部６６、及び第３切り替え部６７は、図中実線の位置と点線の位置とに切り替えることが可能である。第１切り替え部６５、第２切り替え部６６、及び第３切り替え部６７は、ソレノイド等のアクチュエータ６１を利用する機構により切り替える構成である。また、ローラ対１３・１４・３３・３４はモータ６２により駆動される。さらに、ローラ４２・４３，ローラ対４４・４５・７３・７４・７５は、モータ６３により駆動される。
【００５２】
次に、図８は、マークカード処理装置の制御系統のブロック図である。図８に示すように、制御部６４は、マークカード処理装置１Ｋの各部を制御する。すなわち、制御部６４は、マークカードセンサ１５、チケットセンサ２５、光学読み取りセンサ３２、センサ３５・３６、センサ４７、及びセンサ７７・７８から出力された信号を検出し、この信号に応じて印刷部４６、カッタ４８、アクチュエータ６１、モータ６２、及びモータ６３の動作を制御する。また、制御部６４には、マークカード処理装置１Ｋにおいて、チケット３の排出先を設定するための操作部６９が接続されている。
【００５３】
図３に示したように、販売者がマークカード処理装置１Ｋについての操作を全て行う場合や、チケット発券装置１１０のマークカード処理装置１Ｋをカウンタ１１５におけるレジスタ１０２のすぐ近くに設置して、購入者の操作を販売者が把握できる場合には、マークカード処理装置１Ｋの操作部６９において、チケット３をチケット排出口２１から排出するように設定することで、販売者は問題なく操作や販売の対応を行うことができる。
【００５４】
一方、図６に示したように、コンビニエンスストアのカウンタ１１５におけるレジスタ兼販売者用表示装置１１２から離れた位置にマークカード処理装置１Ｋを設置する場合には、販売者１２２が別の購入者１２３と対応するために、チケット発券装置１１０の操作を行っている購入者１２１に対して対応できない場合がある。そこで、マークカード処理装置１Ｋの操作部６９において、チケット３を第２チケット排出口７１から排出するように予め設定することで、チケット３はカウンタ１１５の販売者１２２の側に排出される。したがって、購入者がチケット発券装置１１０のマークカード処理装置１Ｋにおける全ての操作を行う場合でも、購入者１２１はマークカード処理装置１Ｋからマークカード２を抜き取り、プリンタ１１４から出力された明細書に印刷された請求金額を販売者１２２に支払わないと、販売者１２２からチケット３を受け取ることができない。これにより、購入者１２１が、代金の支払いなしにチケットを持ち帰るのを防止できる。
【００５５】
次に、マークカード処理装置１Ｋの動作について説明する。マークカード処理装置１Ｋは、マークカード２の読み取り処理を行う場合、及びチケット３の発券処理を行い、チケット３をチケット排出口２１に排出するように操作部６９で設定された場合には、図４・図５に基づいて説明した処理と同様の手順で処理を行う。すなわち、退避路５１を退避排出路７２に、ローラ対５２・５３をローラ対７３・７４に、回収ボックス５４を回収ボックス７６に、それぞれ読み替えた動作を行う。
【００５６】
一方、マークカード処理装置１Ｋは、チケット３の発券処理を行った後に、チケット３を第２チケット排出口７１に排出するように操作部６９で設定された場合には、以下の手順で処理を行う。図９は、マークカード処理装置のチケット発券処理を説明するためのフローチャートである。
【００５７】
図９に示すように、制御部６４は、マークカード２の読み取り処理が終了すると、アクチュエータ６１を制御して、第１切り替え部６５と第２切り替え部６６を図７中の破線の位置に切り替えて、読み取り搬送路３１の前方側をチケット排出路２２に接続し、読み取り搬送路３１の後方側をチケット発行路４１に接続した状態にする（ｓ５１）。このとき、第３切り替え部６７は、図７中の実線の位置に停止している。
【００５８】
制御部６４は、モータ６３によりローラ４２・４３、ローラ対４４・４５を駆動し、モータ６２によりローラ対３３・３４、ローラ対２３・２４を駆動して、ロール紙４の用紙先端部４ａを繰り出して、ロール紙４の搬送を開始する（ｓ５２）。ロール紙４の初期位置は、ローラ対４５により挟持されていて、且つ、チケット発行路４１から読み取り搬送路３１へ搬送されるロール紙４に印刷部４６で印刷を行うことができる最適な位置とする。また、第１切り替え部６５が、読み取り搬送路３１の前方側とマークカード挿入排出路１２とを接続しているときには、モータ６２がローラ対１３・１４を駆動し、第１切り替え部６５が、読み取り搬送路３１の前方側とチケット排出路２２とを接続しているときには、モータ６２がローラ対２３・２４を駆動するように、不図示のクラッチにより切り替えられる。さらに、第２切り替え部６６が読み取り搬送路３１の後方側とチケット発行路４１とを接続しているときには、モータ６３がローラ４２・４３、ローラ対４４・４５を駆動し、第１切り替え部６５が読み取り搬送路３１の後方側と退避排出路７２とを接続しているときには、モータ６３がローラ対７３・７４・７５を駆動するように、不図示のクラッチにより切り替えられる。
【００５９】
制御部６４は、ロール紙４の用紙先端部４ａが印刷部４６に対向する位置に搬送されたことを、センサ４７により検知すると（ｓ５３）、マークカード読み取り処理においてマークカード２から読み取った情報に応じた内容を、印刷部４６によりロール紙４へ印刷する（ｓ５４）。また、制御部６４は、印刷が終了したロール紙４を、ローラ対４４・４５、ローラ対３３・３４により読み取り搬送路３１へ搬送し、センサ３６によりロール紙４の用紙先端部４ａを検知すると（ｓ５５）、モータ６２・６３を制御して、ローラ対３３・３４、ローラ４２・４３、ローラ対４４・４５を停止され、カッタ４８により、ロール紙４を切断する（ｓ５６）。続いて、制御部６４は、モータ６２を制御して、ローラ対２３・２４、ローラ対３３・３４を動作させて、ロール紙４を切断した用紙であるチケット３を光学読み取りセンサ３２に対向する位置へ搬送するとともに、光学読み取りセンサ３２を起動して、ロール紙４に印刷した情報の読み取りを開始する（ｓ５７）。また、制御部６４は、モータ６３を制御して、ローラ４２・４３、ローラ対４４・４５により、ロール紙４から繰り出した用紙を巻き上げて、ロール紙４の用紙先端部４ａが印刷開始前の初期位置まで搬送されて、モータ６３を停止する。
【００６０】
制御部６４は、光学読み取りセンサ３２によりチケット３に印刷された情報を読み取ると、再度モータ６２を制御して、ローラ対２３・２４、ローラ対３３・３４を停止させて、チケット３の搬送を一旦停止する（ｓ５８）。そして、制御部６４は、チケット３から読み取った情報が、マークカード２から読み取った情報と一致しているか否かの確認や、汚れ等の印刷ミスの有無等について確認を行う（ｓ５９）。
【００６１】
制御部６４は、チケット３から読み取った情報が、マークカード２から読み取った情報に応じたものであり、汚れ等の無い良品であれば、アクチュエータ６１を制御して、第２切り替え部６６を図７中の実線の位置に切り替えて、読み取り搬送路３１の前方側をチケット排出路２２に接続し、読み取り搬送路３１の後方側を退避排出路７２に接続した状態にする（ｓ６０）。続いて、制御部６４は、モータ６２・６３を制御して、ローラ対２３・２４、ローラ対３３・３４、ローラ対７３・７４・７５により、チケット３をチケット排出路２２から読み取り搬送路３１を介して退避排出路７２へ搬送して、センサ７８でチケット３の端部を検出して、第２チケット排出口７１からチケット３の一部を突出した状態にする（ｓ６１）。そして、モータ６２・６３を停止して、チケット３の発券処理を終了する（ｓ６２）。
【００６２】
一方、制御部６４は、ステップｓ５９において、チケット３から読み取った情報が、マークカード２から読み取った情報に応じたものでない場合や、汚れ等がある不良品であれば、アクチュエータ６１を制御して、第２切り替え部６６を図７における実線の位置に切り替え、また第３切り替え部６７を図７における点線の位置に切り替える。そして、読み取り搬送路３１の後方側を退避排出路７２に接続するとともに、退避排出路７２と回収ボックス７６を接続した状態、つまり退避排出路７２から回収ボックス７６へチケット３を搬送する状態にする（ｓ６３）。続いて、制御部６４は、モータ６２・６３を制御して、ローラ対２３・２４、ローラ対３３・３４、及びローラ対７３・７４により、印刷ミス等があったチケット３を読み取り搬送路３１から退避排出路７２へ搬送し、さらに回収ボックス７６へこのチケット３を回収する（ｓ６４）。
【００６３】
制御部６４は、印刷ミス等のあったチケット３の回収が完了すると、アクチュエータ６１を制御して、第２切り替え部６６はそのまま図７における点線の位置に切り替え、第３切り替え部６７を図８における実線の位置に切り替えて、退避排出路７２から回収ボックス７６を切り離した状態にする（ｓ６５）。そして、制御部６４は、再度ステップｓ５２以降の処理を実行する。
【００６４】
図１０は、図１・図７とは異なるマークカード処理装置の概略構成図である。次に、マークカード処理装置１Ｋを、図６に示したように、コンビニエンスストアのカウンタ設置専用の装置とする場合には、図８において、チケット排出口２１、チケット排出路２２、ローラ対２３・２４、チケットセンサ２５、及び第１切り替え部６５を取り除いた構成にすると良い。すなわち、図１０に示すマークカード処理装置１Ｈのような構成にすると良い。
【００６５】
マークカード処理装置１Ｈは、マークカード処理装置１Ｋにおいてチケット３を第２チケット排出口７１から排出するように設定された場合と同様の動作を行う。そのため、マークカード処理装置１Ｈの動作の詳細説明を省略する。
【００６６】
マークカード処理装置１Ｋと同様に、コンビニエンスストアのカウンタ１１５におけるレジスタ兼販売者用表示装置１１２から離れた位置にマークカード処理装置１Ｈを設置した場合に、チケット３は第２チケット排出口７１から排出されるので、販売者は問題なく操作でき、また、購入者が代金の支払いなしにチケットを持ち帰るのを防止できる。
【００６７】
以上のように、マークカード処理装置１，１Ｋ，１Ｈは、光学読み取りセンサ３２と印刷部４６とが一体的に構成されており、読み取り搬送路３１に設けられた光学読み取りセンサ３２によって、マークカード挿入排出口１１から挿入されたマークカード２の読み取り処理と、印刷部４６で印刷されたチケット３の読み取り処理と、を行うので、装置を小型化することができ、狭い設置スペースでも装置を設置できる。また、マークカード処理装置の操作者や設置場所に応じて、チケット３の排出先が異なるものを用いたり、チケット３の排出先を切り替えたりすることができるので、チケット３の取り忘れやチケット３の代金未収を防止できる。
【図面の簡単な説明】
【００６８】
【図１】マークカード処理装置の概略の構成図及びマークカード処理装置の斜視図である。
【図２】マークカード処理装置の制御系統のブロック図である。
【図３】マークカード処理装置を店舗に設置する際の構成を示すブロック図である。
【図４】マークカード処理装置のマークカードの読み取り処理を説明するためのフローチャートである。
【図５】マークカード処理装置のチケット発券処理を説明するためのフローチャートである。
【図６】マークカード処理装置をコンビニエンスストアのカウンタに設置する際の構成を示すブロック図である。
【図７】図１とは異なるマークカード処理装置の概略構成図である。
【図８】マークカード処理装置の制御系統のブロック図である。
【図９】マークカード処理装置のチケット発券処理を説明するためのフローチャートである。
【図１０】図１・図７とは異なるマークカード処理装置の概略構成図である。
【符号の説明】
【００６９】
１，１Ｋ，１Ｈ−マークカード処理装置    １ａ，１ｂ−側面    ２−マークカード    ３−チケット    ４−ロール紙    １１−マークカード挿入排出口    １２−マークカード搬送路    １３・１４・２３・２４・３３・３４・４４・４５・５２・５３・７３・７４・７５−ローラ対    １５−マークカードセンサ
２１−チケット排出口    ２２−チケット搬送路    ２５−チケットセンサ    ３１−読み取り搬送路    ３２−光学読み取りセンサ    ３５・３６・４７・５５・７７・７８−センサ    ４１−チケット発行路    ４２・４３−ローラ    ４６−印刷部    ４８−カッタ    ５１−退避路    ５４・７６−回収ボックス    ６１−アクチュエータ    ６２・６３−モータ    ６４−制御部    ６５−第１切り替え部    ６６−第２切り替え部    ６７−第３切り替え部    ７１−第２チケット排出口    ７２−退避排出路    １００・１１０−チケット発券装置    １０１・１１１−制御装置    １０２−表示装置    １０３・１１４−プリンタ    １１３−購入者用表示装置    １１５−カウンタ
【図１】
0004769584.tif 000002
【図２】
0004769584.tif 000003
【図３】
0004769584.tif 000004
【図４】
0004769584.tif 000005
【図５】
0004769584.tif 000006
【図６】
0004769584.tif 000007
【図７】
0004769584.tif 000008
【図８】
0004769584.tif 000009
【図９】
0004769584.tif 000010
【図１０】
0004769584.tif 000011